(57)【要約】【課題】画像の中心については大きく見せ、かつ、周辺部分についてはより広角に見せることのできる広角レンズを提供すること。【解決手段】広角レンズ１００は、物体側Ｌａから像側Ｌｂに向けて、負のパワーを有する前群１００ａ、絞り１１０、および正のパワーを有する後群１００ｂが順に配置されている。広角レンズ１００は、８群９枚のレンズ構成を有しており、前群１００ａにおいて、第１群２１０は３枚のレンズからなり、第２群２２０は２枚のレンズからなる。後群１００ｂは、４枚のレンズからなり、第８レンズ８０および第９レンズ９０は、正のパワーを有する接合レンズ１５０を構成している。広角レンズ１００において、第２レンズ２０は、近軸部分が正のパワーを有し、周辺部分が負のパワーを有している。第１レンズ１０および第７レンズ７０はガラスレンズであり、他のレンズはプラスチックレンズである。【選択図】図１
2019040121.tif 000002
【特許請求の範囲】
【請求項１】
物体側から像側に向けて、負のパワーを有する前群、絞り、および正のパワーを有する後群が順に配置され、
前記前群では、物体側から像側に向けて、第１群および第２群が順に配置され、
前記第１群において物体側から１番目に位置する第１レンズは、像側のレンズ面が凹曲面である負メニスカスレンズであり、
前記第１群において物体側から２番目に位置する第２レンズは、像側のレンズ面が凹状の非球面である負メニスカスレンズであり、
前記第２レンズは、近軸部分が正のパワーを有し、周辺部分が負のパワーを有することを特徴とする広角レンズ。
【請求項２】
前記第１群の合成焦点距離をｆG1とし、レンズ全体の焦点距離をｆ0としたとき、合成焦点距離ｆG1、および焦点距離ｆ0は、以下の条件式
−４＜ｆG1／ｆ0＜−０．１
を満たすことを特徴とする請求項１に記載の広角レンズ。
【請求項３】
前記第１群は、物体側から像側に順に配置された前記第１レンズ、前記第２レンズ、および第３レンズからなり、
前記第２群において物体側から１番目に第４レンズが配置され、
前記第３レンズは、像側のレンズ面が凹状の非球面である負メニスカスレンズであり、
前記第３レンズの像側のレンズ面の半径をＲ32とし、前記第３レンズの像側のレンズ面の中心から前記第４レンズの物体側のレンズ面の中心までの距離をｄ34としたとき、半径Ｒ32、および距離ｄ34は、以下の条件式
０．５＜Ｒ32／ｄ34＜２
を満たすことを特徴とする請求項１または２に記載の広角レンズ。
【請求項４】
前記前群の合成焦点距離をｆNとし、前記後群の合成焦点距離をｆPとしたとき、合成焦点距離ｆN、ｆPは、以下の条件式
−５＜ｆN／ｆP＜−０．１
を満たすことを特徴とする請求項３に記載の広角レンズ。
【請求項５】
前記第２群は、物体側から像側に順に配置された前記第４レンズ、および第５レンズからなり、
前記後群は、物体側から像側に順に配置された第６レンズ、第７レンズ、第８レンズ、および第９レンズからなり、
前記第４レンズは、物体側のレンズ面が凹曲面である負レンズであり、
前記第５レンズは、像側のレンズ面が凸曲面である正レンズであり、
前記第６レンズは、像側のレンズ面が凸曲面である正レンズであり、
前記第７レンズは、物体側のレンズ面、および像側のレンズ面が凸曲面である両凸レンズであり、
前記第８レンズは、物体側のレンズ面、および像側のレンズ面が凹曲面である両凹レンズであり、
前記第９レンズは、物体側のレンズ面、および像側のレンズ面が凸曲面である両凸レンズであり、
前記第２レンズ、前記第３レンズ、前記第４レンズ、前記第５レンズ、前記第６レンズ、前記第８レンズ、および前記第９レンズはいずれも、プラスチックレンズであり、
前記第７レンズは、ガラスレンズであり、
前記第８レンズおよび前記第９レンズは、前記第８レンズの像側のレンズ面と前記第９レンズの物体側のレンズ面とが接合された接合レンズを構成している請求項３または４に
記載の広角レンズ。
【請求項６】
前記第８レンズのアッベ数をν8とし、前記第９レンズのアッベ数をν9としたとき、アッベ数ν8、ν9は各々、以下の条件式
ν8≦３０
５０≦ν9
を満たすことを特徴とする請求項５に記載の広角レンズ。
【請求項７】
レンズ系全体の物像間距離をｄ0とし、レンズ系全体の焦点距離をｆ0としたとき、物像間距離ｄ0、および焦点距離ｆ0は、以下の条件式
８＜ｄ0／ｆ0＜１５
を満たすことを特徴とする請求項１から６までの何れか一項に記載の広角レンズ。
【発明の詳細な説明】
【技術分野】
【０００１】
本発明は、各種撮像系に用いられる広角レンズに関するものである。
【背景技術】
【０００２】
広角レンズとして、物体側から像側に向けて、物体側に凸面を向け、像側に凹面を向けた第１レンズ、像側に凹面を向けた第２レンズ、物体側に凹面を向けた第３レンズ、像側に凸面を向けた第４レンズ、第５レンズ、および第６レンズが順に配置され、第５レンズおよび第６レンズが、正のパワーを有する接合レンズを構成している５群６枚のレンズ構成が提案されている（特許文献１参照）。
【先行技術文献】
【特許文献】
【０００３】
【特許文献１】特開２０１５−３４９２２号公報
【発明の概要】
【発明が解決しようとする課題】
【０００４】
広角レンズにおいて、車載カメラ等では、画像の中心については大きく見せ、かつ、周辺部分についてはより広角に見せることが要求されているが、特許文献１に記載の広角レンズでは、かかる要求に対応できないという問題点がある。
【０００５】
以上の問題点に鑑みて、本発明の課題は、画像の中心については大きく見せ、かつ、周辺部分についてはより広角に見せることのできる広角レンズを提供することにある。
【課題を解決するための手段】
【０００６】
上記課題を解決するために、本発明に係る広角レンズは、物体側から像側に向けて、負のパワーを有する前群、絞り、および正のパワーを有する後群が順に配置され、前記前群では、物体側から像側に向けて、第１群、および第２群が順に配置され、前記第１群において物体側から１番目に位置する第１レンズは、像側のレンズ面が凹曲面である負メニスカスレンズであり、前記第１群において物体側から２番目に位置する第２レンズは、像側のレンズ面が凹状の非球面である負メニスカスレンズであり、前記第２レンズは、近軸部分が正のパワーを有し、周辺部分が負のパワーを有することを特徴とする。
【０００７】
本発明に係る広角レンズにおいて、第２レンズは、近軸部分が正のパワーを有し、周辺部分が負のパワーを有するため、画像の中心については大きく見せ、かつ、周辺部分についてはより広角に見せることができる。
【０００８】
本発明において、前記第１群の合成焦点距離をｆG1とし、レンズ全体の焦点距離をｆ0としたとき、合成焦点距離ｆG1、および焦点距離ｆ0は、以下の条件式
−４＜ｆG1／ｆ0＜−０．１
を満たす態様を採用することができる。かかる態様によれば、ｆG1／ｆ0が下限（−４）を越えているので、第１群の負のパワーが弱まることを回避しつつ、レンズ系全体の物像間距離を短くすることができる。また、ｆG1／ｆ0が上限（−０．１）未満であるため、コマ収差の補正を適正に行うことができる。
【０００９】
本発明において、前記第１群は、物体側から像側に順に配置された前記第１レンズ、前記第２レンズ、および第３レンズからなり、前記第２群において物体側から１番目に第４レンズが配置され、前記第３レンズは、像側のレンズ面が凹状の非球面である負メニスカ
スレンズであり、前記第３レンズの像側のレンズ面の半径をＲ32とし、前記第３レンズの像側のレンズ面の中心から前記第４レンズの物体側のレンズ面の中心までの距離をｄ34としたとき、半径Ｒ32、および距離ｄ34は、以下の条件式
０．５＜Ｒ32／ｄ34＜２
を満たす態様を採用することができる。かかる態様によれば、第３レンズの像側の凹面が深くなることを回避することができる。すなわち、第３レンズの像側の凹面が深いと、第３レンズを成形する際、金型内に樹脂を充填しにくくなり、成形時間が長くなる等、生産性が低下する。しかるに本発明では、Ｒ32／ｄ34の値が０．５を超えるため、第３レンズの像側のレンズ面は、物体側への凹みが比較的浅い。このため、第３レンズの歩留まりや生産性の低下を抑制することができる。また、Ｒ32／ｄ34の値が２未満であるため、倍率色収差の補正を行いやすい。
【００１０】
本発明において、前記前群の合成焦点距離をｆNとし、前記後群の合成焦点距離をｆPとしたとき、合成焦点距離ｆN、ｆPは、以下の条件式
−５＜ｆN／ｆP＜−０．１
を満たす態様を採用することができる。かかる態様によれば、ｆN／ｆPが下限（−５）を越えているので、前群のパワーが強くなりすぎることを回避することができる。従って、各種収差の補正を適正に行うことができ、高い光学特性を実現することができる。また、ｆN／ｆPが上限（−０．１）未満であるため、前群のパワーが弱くなりすぎることを回避することができるので、広角レンズの小型化を図ることができる。
【００１１】
本発明において、前記第２群は、物体側から像側に順に配置された前記第４レンズ、および第５レンズからなり、前記後群は、物体側から像側に順に配置された第６レンズ、第７レンズ、第８レンズ、および第９レンズからなり、前記第４レンズは、物体側のレンズ面が凹曲面である負レンズであり、前記第５レンズは、像側のレンズ面が凸曲面である正レンズであり、前記第６レンズは、像側のレンズ面が凸曲面である正レンズであり、前記第７レンズは、物体側のレンズ面、および像側のレンズ面が凸曲面である両凸レンズであり、前記第８レンズは、物体側のレンズ面、および像側のレンズ面が凹曲面である両凹レンズであり、前記第９レンズは、物体側のレンズ面、および像側のレンズ面が凸曲面である両凸レンズであり、前記第２レンズ、前記第３レンズ、前記第４レンズ、前記第５レンズ、前記第６レンズ、前記第８レンズ、および前記第９レンズはいずれも、プラスチックレンズであり、前記第７レンズは、ガラスレンズであり、前記第８レンズおよび前記第９レンズは、前記第８レンズの像側のレンズ面と前記第９レンズの物体側のレンズ面とが接合された接合レンズを構成している態様を採用することができる。かかる態様によれば、絞りに対して像側の近い位置にガラスレンズ（第７レンズ）を配置したため、環境温度が変化した場合の画角の変化や焦点位置の変化が小さい。また、絞りと隣り合うレンズは、感度が高いため、レンズの位置精度や厚み精度の影響等により光学特性が低下するとい問題が発生しやすいが、本態様を採用すれば、かかる問題の発生を抑制することができる。すなわち、本態様では、絞りとガラスレンズ（第７レンズ）との間にプラスチックレンズ（第６レンズ）が配置され、かかるプラスチックレンズは、レンズ面の外周側にフランジ部を有するため、高い精度で位置決めすることができる。また、プラスチックレンズは、金型成形されるため、研磨が行われない。従って、レンズ厚の精度が高い。それ故、本態様によれば、レンズの位置精度や厚み精度の影響等により、光学特性が低下するという問題が発生しにくい。
【００１２】
本発明において、前記第８レンズのアッベ数をν8とし、前記第９レンズのアッベ数をν9としたとき、アッベ数ν8、ν9は各々、以下の条件式
ν8≦３０
５０≦ν9
を満たす態様を態様することができる。かかる構成によれば、第９レンズのアッベ数ν9
が大きいので、色収差を適正に補正することができる。
【００１３】
本発明において、レンズ系全体の物像間距離をｄ0とし、レンズ系全体の焦点距離をｆ0としたとき、物像間距離ｄ0、および焦点距離ｆ0は、以下の条件式
８＜ｄ0／ｆ0＜１５
を満たす態様を採用することができる。かかる構成によれば、ｄ0／ｆ0の値が8を超えているので、球面収差や歪曲収差を適正に補正することができる。また、ｄ0／ｆ0の値が１5未満であるので、レンズ径が大きくなりすぎることを抑制することができるとともに、レンズ系全体の全長が長くなることを回避することができる。
【発明の効果】
【００１４】
本発明に係る広角レンズでは、第２レンズは、近軸部分が正のパワーを有し、周辺部分が負のパワーを有するため、画像の中心については大きく見せ、かつ、周辺部分についてはより広角に見せることができる。
【図面の簡単な説明】
【００１５】
【図１】本発明の実施例１に係る広角レンズの説明図である。
【図２】図１に示す広角レンズの球面収差を示す説明図である。
【図３】図１に示す広角レンズの非点収差およびディストーションを示す説明図である。
【図４】図１に示す広角レンズの横収差を示す説明図である。
【図５】本発明の実施例２に係る広角レンズの説明図である。
【図６】図５に示す広角レンズの球面収差を示す説明図である。
【図７】図５に示す広角レンズの非点収差およびディストーションを示す説明図である。
【図８】図５に示す広角レンズの横収差を示す説明図である。
【図９】本発明の実施例３に係る広角レンズの説明図である。
【図１０】図９に示す広角レンズの球面収差を示す説明図である。
【図１１】図９に示す広角レンズの非点収差およびディストーションを示す説明図である。
【図１２】図９に示す広角レンズの横収差を示す説明図である。
【発明を実施するための形態】
【００１６】
本発明を適用した広角レンズ１００として、実施例１、実施例２、および実施例３を説明する。
【００１７】
［実施例１］
（全体構成）
図１は、本発明の実施例１に係る広角レンズ１００の説明図である。図２は、図１に示す広角レンズ１００の球面収差を示す説明図である。図３は、図１に示す広角レンズ１００の非点収差およびディストーションを示す説明図である。図４は、図１に示す広角レンズ１００の横収差を示す説明図である。
【００１８】
図１には、面番号をかっこ内に示し、非球面には「＊」を付してある。また、図１に示すレンズのうち、プラスチックレンズはレンズ面の外周側にフランジ部を有しているが、図１には、フランジ部の図示を省略してある。図２、図３および図４には、赤色光Ｒ（波長６５６ｎｍ）、緑色光Ｇ（波長５８８ｎｍ）、および青色光Ｂ（波長４８６ｎｍ）における各収差を示してある。また、図３に示す非点収差に関しては、サジタル方向の特性にＳを付し、タンジェンシャル方向の特性にＴを付してある。また、図３に示すディストーションとは、撮像中央部と周辺部における像の変化比率を示し、ディストーションをあら
わす数値の絶対値が小さいほど、高精度なレンズといえる。図４には、赤色光Ｒ、緑色光Ｇ、および青色光Ｂの各角度０．００ｄｅｇ、１３．９６ｄｅｇ、３１．３８ｄｅｇ、５３．０７ｄｅｇ、７３．１９ｄｅｇ、および８８．３５ｄｅｇにおける光軸に直交する２方向（ｙ方向およびｘ方向）の横収差を纏めて示してある。
【００１９】
図１に示す広角レンズ１００は、物体側Ｌａから像側Ｌｂに向けて、負のパワーを有する前群１００ａ、絞り１１０、および正のパワーを有する後群１００ｂが順に配置されている。前群１００ａでは、物体側Ｌａから像側Ｌｂに向けて、第１群２１０、および第２群２２０が順に配置されている。
【００２０】
本形態において、広角レンズ１００は、８群９枚のレンズ構成を有している。より具体的には、前群１００ａにおいて、第１群２１０は、物体側Ｌａから像側ｌｂに順に配置された第１レンズ１０、第２レンズ２０、および第３レンズ３０からなり、第２群２２０は、物体側Ｌａから像側Ｌｂに順に配置された第４レンズ４０、および第５レンズ５０からなる。後群１００ｂは、物体側Ｌａから像側Ｌｂに順に配置された第６レンズ６０、第７レンズ７０、第８レンズ８０、および第９レンズ９０からなり、第８レンズ８０および第９レンズ９０は、第８レンズ８０の像側Ｌｂのレンズ面８２と第９レンズ９０の物体側Ｌａのレンズ面９１とが接合された接合レンズ１５０を構成しており、接合レンズ１５０は正のパワーを有している。接合レンズ１５０に対して像側Ｌｂには、平板状の赤外線フィルタ１２０、透光性のカバー１３０、および撮像素子１４０が順に配置されている。
【００２１】
本例の広角レンズ１００の各レンズの構成等は、表１に示す通りであり、表１には、広角レンズ１００の特性として以下の特性を示してある。
レンズ系全体の焦点距離ｆ0（Effective Focal Length）
物像間距離（Total Track）
レンズ系全体のＦ値（Image Space F/#）
最大画角（Max. Field Angle）
また、表１には、各面（Surf）の以下の項目が示されている。
【００２２】
曲率半径（Radius）
厚さ（Thickness）
屈折率Ｎｄ
アッベ数νｄ
レンズ面の直径（Diameter）
各レンズの焦点距離ｆ
合成焦点距離ｆａ、Ｆｂ
なお、曲率半径、厚さ、焦点距離、直径の単位はｍｍである。ここで、レンズ面が物体側Ｌａに向けて突出した凸面あるいは物体側Ｌａに向けて凹んだ凹面である場合には、曲率半径を正の値とし、レンズ面が像側Ｌｂに向けて突出した凸面あるいは像側Ｌｂに向けて凹んだ凹面である場合、曲率半径を負の値としてある。また、正レンズ（正のパワーを有するレンズ）の焦点距離ｆを正の値とし、負レンズ（負のパワーを有するレンズ）の焦点距離ｆを負の値としてある。
【００２３】
【表１】
2019040121.tif 000003
【００２４】
表２には、広角レンズ１００に用いた非球面レンズの形状を下式（数１）で表した際の円錐係数Ｋ、および非球面係数Ａ3、Ａ4、Ａ6、Ａ8、Ａ10が示されている。下式においては、サグ量（光軸方向の軸）をＺ、光軸と垂直方向の高さ（光線高さ）をｒ、円錐係数をＫ、曲率半径の逆数をｃとしてある。
【００２５】
【表２】
2019040121.tif 000004
【００２６】
【数１】
2019040121.tif 000005
【００２７】
表１に示すように、本例の広角レンズ１００においては、レンズ系全体の焦点距離ｆ0は３．４１７ｍｍであり、物像間距離は３７．２５７ｍｍであり、レンズ系全体のＦ値は１．８であり、最大画角は１７７ｄｅｇである。
【００２８】
第１群２１０において物体側Ｌａから１番目に位置する第１レンズ１０は、像側Ｌｂのレンズ面１２（第２面（２））が凹曲面である負メニスカスレンズであり、物体側Ｌａのレンズ面１１（第１面（１））は凸曲面である。本例において、第１レンズ１０は、ガラ
スレンズであり、物体側Ｌａのレンズ面１１（第１面（１））、および像側Ｌｂのレンズ面１２（第２面（２））はいずれも、球面である。第１レンズ１０には、屈折率が１．８３９、かつ、アッベ数が４２．７００のレンズ材料が用いられており、焦点距離は−２６．９４５ｍｍである。
【００２９】
第１群２１０において物体側Ｌａから２番目に位置する第２レンズ２０は、像側Ｌｂのレンズ面２２（第４面（４））が凹状の非球面である負メニスカスレンズであり、物体側Ｌａのレンズ面２１（第３面（３））は凸曲面である。本例において、第２レンズ２０は、アクリル樹脂系、ポリカーボネート系、ポリオレフィン系等からなるプラスチックレンズであり、物体側Ｌａのレンズ面２１（第３面（３））、および像側Ｌｂのレンズ面２２（第４面（４））はいずれも、非球面である。第２レンズ２０には、屈折率が１．５１３、かつ、アッベ数が５６．３０３のレンズ材料が用いられており、焦点距離は５３．６７１ｍｍである。ここで、第２レンズ２０は、近軸部分が正のパワーを有し、周辺部分が負のパワーを有するように、レンズ面２１、２２の形状が設定されている。
【００３０】
第１群２１０において物体側Ｌａから３番目に位置する第３レンズ３０は、像側Ｌｂのレンズ面３２（第６面（６））が凹状の非球面である負メニスカスレンズであり、物体側Ｌａのレンズ面３１（第５面（５））は凸曲面である。本例において、第３レンズ３０は、アクリル樹脂系、ポリカーボネート系、ポリオレフィン系等からなるプラスチックレンズであり、物体側Ｌａのレンズ面３１（第５面（５））、および像側Ｌｂのレンズ面３２（第６面（６））はいずれも、非球面である。第３レンズ３０には、屈折率が１．６４１、かつ、アッベ数が２３．９７２のレンズ材料が用いられており、焦点距離は−１２．１７７ｍｍである。
【００３１】
第２群２２０において、第４レンズ４０は、物体側Ｌａのレンズ面４１（第７面（７））が凹曲面である負レンズである。本例において、第４レンズ４０は、物体側Ｌａのレンズ面４１（第７面（７））、および像側Ｌｂのレンズ面４２（第８面（８））のいずれもが凹曲面である両凹レンズである。本例において、第４レンズ４０は、アクリル樹脂系、ポリカーボネート系、ポリオレフィン系等からなるプラスチックレンズであり、物体側Ｌａのレンズ面４１（第７面（７））、および像側Ｌｂのレンズ面４２（第８面（８））はいずれも、非球面である。第４レンズ４０には、屈折率が１．５４６、かつ、アッベ数が５６．１９０のレンズ材料が用いられており、焦点距離は−１０．７５１ｍｍである。
【００３２】
第２群２２０において、第５レンズ５０は、像側Ｌｂのレンズ面５２（第１０面（１０））が凸曲面である正レンズである。本例において、第５レンズ５０は、物体側Ｌａのレンズ面５１（第９面（９））、および像側Ｌｂのレンズ面５２（第１０面（１０））のいずれもが凸曲面である両凸レンズである。本例において、第５レンズ５０はプラスチックレンズであり、物体側Ｌａのレンズ面５１（第９面（９））、および像側Ｌｂのレンズ面５２（第１０面（１０））はいずれも、非球面である。第５レンズ５０には、屈折率が１．６４１、かつ、アッベ数が２３．９７２のレンズ材料が用いられており、焦点距離は１４．８９４ｍｍである。
【００３３】
後群１００ｂにおいて、第６レンズ６０は、像側Ｌｂのレンズ面６２が凸曲面である正レンズである。本例において、第６レンズ６０は、物体側Ｌａのレンズ面６１（第１２面（１２））、および像側Ｌｂのレンズ面６２（第１３面（１３））のいずれもが凸曲面である両凸レンズである。本例において、第６レンズ６０は、アクリル樹脂系、ポリカーボネート系、ポリオレフィン系等からなるプラスチックレンズであり、物体側Ｌａのレンズ面６１（第１２面（１２））、および像側Ｌｂのレンズ面６２（第１３面（１３））はいずれも、非球面である。第６レンズ６０には、屈折率が１．５４６、かつ、アッベ数が５６．１９０のレンズ材料が用いられており、焦点距離は１８．６９２ｍｍである。
【００３４】
後群１００ｂにおいて、第７レンズ７０は、物体側Ｌａのレンズ面７１（第１４面（１４））、および像側Ｌｂのレンズ面７２（第１５面（１５））が凸曲面である両凸レンズである。本例において、第７レンズ７０は、ガラスレンズであり、物体側Ｌａのレンズ面７１（第１４面（１４））、および像側Ｌｂのレンズ面７２（第１５面（１５））はいずれも、球面である。第７レンズ７０には、屈折率が１．７３２、かつ、アッベ数が５４．７００のレンズ材料が用いられており、焦点距離は８．１８７ｍｍである。
【００３５】
後群１００ｂにおいて、第８レンズ８０は、物体側Ｌａのレンズ面８１（第１６面（１６））、および像側Ｌｂのレンズ面８２が凹曲面である両凹レンズである。本例において、第８レンズ８０は、アクリル樹脂系、ポリカーボネート系、ポリオレフィン系等からなるプラスチックレンズであり、物体側Ｌａのレンズ面８１（第１６面（１６））、および像側Ｌｂのレンズ面８２はいずれも、非球面である。第８レンズ８０には、屈折率が１．６４１、かつ、アッベ数が２３．９７２のレンズ材料が用いられており、焦点距離は−４．０６５ｍｍである。
【００３６】
後群１００ｂにおいて、第９レンズ９０は、物体側Ｌａのレンズ面９１、および像側Ｌｂのレンズ面９２（第１８面（１８））が凸曲面である両凸レンズである。本例において、第９レンズ９０は、アクリル樹脂系、ポリカーボネート系、ポリオレフィン系等からなるプラスチックレンズであり、物体側Ｌａのレンズ面９１、および像側Ｌｂのレンズ面９２（第１８面（１８））はいずれも、非球面である。第９レンズ９０には、屈折率が１．５４６、かつ、アッベ数が５６．１９０のレンズ材料が用いられており、焦点距離は４．９９０ｍｍである。
【００３７】
ここで、第８レンズ８０の像側Ｌｂのレンズ面８２と、第９レンズ９０の物体側Ｌａのレンズ面９１とは、同一形状に形成されており、第８レンズ８０と第９レンズ９０とは、第８レンズ８０の像側Ｌｂのレンズ面８２と第９レンズ９０の物体側Ｌａのレンズ面９１とが樹脂により接合された接合レンズ１５０を構成している。従って、第８レンズ８０の像側Ｌｂのレンズ面８２と第９レンズ９０の物体側Ｌａのレンズ面９１との接合面を第１７面（１７）としてある。本例において、樹脂材は、ＵＶ硬化型の接着剤である。接着剤は、硬化後も弾性を有する材質であることが好ましい。
【００３８】
本形態では、絞り１１０によって第１１面（１１）が構成され、赤外線フィルタ１２０の物体側Ｌａの面１２１によって第１９（１９）が構成され、像側Ｌｂの面１２２によって第２０面（２０）が構成されている。また、カバー１３０の物体側Ｌａの面１３１によって第２１面（２１）が構成され、カバー１３０の像側Ｌｂの面１３２によって第２２面（２２）が構成され、撮像素子１４０の撮像面によって、第２３面（２３）が構成されている。
【００３９】
図２〜図４に示すように、本例の広角レンズ１００においては、球面収差、非点収差（ディストーション）、および横収差が適正なレベルまで補正されている。
【００４０】
このように構成した広角レンズ１００において、第２レンズ２０は、近軸部分が正のパワーを有し、周辺部分が負のパワーを有している。それ故、本例の広角レンズ１００では、画像の中心については大きく見せ、かつ、周辺部分についてはより広角に見せることができる。また、絞り１１０に対して像側ｂの近い位置にガラスレンズ（第７レンズ７０）を配置したため、環境温度が変化した場合の画角の変化や焦点位置の変化が小さい。また、絞り１１０と隣り合うレンズは、感度が高いため、レンズの位置精度や厚み精度の影響等により光学特性が低下するとい問題が発生しやすいが、本例では、かかる問題の発生を抑制することができる。すなわち、本例では、絞り１１０とガラスレンズ（第７レンズ７
０）との間にプラスチックレンズ（第６レンズ６０）が配置され、かかるプラスチックレンズは、レンズ面の外周側にフランジ部を有するため、高い精度で位置決めすることができる。また、プラスチックレンズは、金型成形されるため、研磨が行われない。従って、レンズ厚の精度が高い。それ故、本例によれば、レンズの位置精度や厚み精度の影響等により、光学特性が低下するという問題が発生しにくい。
【００４１】
（条件式）
本例の広角レンズ１００において、以下に説明する条件式（１）〜（６）に関連する各値を表３に示してある。本例の広角レンズ１００は、以下の条件式（１）〜（６）を満たすため、図２〜図４に示すレンズ特性を有している。なお、表３には、後述する実施例２および実施例３の各値も示してある。また、表３に示す値や以下に説明する値は、四捨五入による端数処理を行ってある。
【００４２】
【表３】
2019040121.tif 000006
【００４３】
まず、第１群２１０の合成焦点距離をｆG1とし、レンズ全体の焦点距離をｆ0としたとき、合成焦点距離ｆG1、および焦点距離ｆ0は、以下の条件式（１）
−４＜ｆG1／ｆ0＜−０．１      ・・（１）
を満たしている。より具体的には、本例において、第１群２１０の合成焦点距離ｆG1は、−８．９９２ｍｍであり、レンズ全体の焦点距離ｆ0は３．４１７ｍｍであるから、ｆG1／ｆ0は−２．６３２であり、条件式（１）を満たしている。このように、本例では、ｆG1／ｆ0が下限（−４）を越えているので、第１群２１０の負のパワーが弱まることを回避しつつ、レンズ系全体の物像間距離を短くすることができる。また、ｆG1／ｆ0が上限（−０．１）未満であるため、コマ収差の補正を適正に行うことができる。
【００４４】
また、第３レンズ３０の像側Ｌｂのレンズ面３２の半径をＲ32とし、第３レンズ３０の像側Ｌｂのレンズ面３２の中心から第４レンズ４０の物体側Ｌａのレンズ面４１の中心までの距離をｄ34としたとき、半径Ｒ32、および距離ｄ34は、以下の条件式（２）
０．５＜Ｒ32／ｄ34＜２      ・・（２）
を満たしている。より具体的には、本例において、第３レンズ３０の像側Ｌｂのレンズ面３２の半径Ｒ32は、４．１２７５ｍｍであり、第３レンズ３０の像側Ｌｂのレンズ面３２の中心から第４レンズ４０の物体側Ｌａのレンズ面４１の中心までの距離ｄ34は、３．１００ｍｍであるから、Ｒ32／ｄ34は、１．３３１であり、条件式（２）を満たしている。従って、第３レンズ３０の像側Ｌｂの凹面が深くなることを回避することができる。すな
わち、第３レンズ３０の像側Ｌｂの凹面が深いと、第３レンズ３０を成形する際、金型内に樹脂を充填しにくくなり、成形時間が長くなる等、生産性が低下する。しかるに本例では、Ｒ32／ｄ34の値が０．５を超えるため、第３レンズ３０の像側のレンズ面３２は、物体側Ｌａへの凹みが比較的浅い。このため、第３レンズ３０の歩留まりや生産性の低下を抑制することができる。また、Ｒ32／ｄ34の値が２未満であるため、倍率色収差の補正を行いやすい。
【００４５】
また、前群１００ａの合成焦点距離をｆNとし、後群１００ｂの合成焦点距離をｆPとしたとき、合成焦点距離ｆN、ｆPは、以下の条件式（３）
−５＜ｆN／ｆP＜−０．１      ・・（３）
を満たしている。本例では、前群１００ａの合成焦点距離ｆNは−１１．０６２ｍｍであり、後群１００ｂの合成焦点距離ｆPは７．３９０ｍｍであるから、ｆN／ｆPは、−１．４９７であり、条件式（３）を満たしている。このように本例では、ｆN／ｆPが下限（−５）を越えているので、前群１００ａのパワーが強くなりすぎることを回避することができる。従って、各種収差の補正を適正に行うことができ、高い光学特性を実現することができる。また、ｆN／ｆPが上限（−０．１）未満であるため、前群１００ａのパワーが弱くなりすぎることを回避することができるので、広角レンズ１００の小型化を図ることができる。
【００４６】
また、第８レンズ８０のアッベ数をν8とし、第９レンズ９０のアッベ数をν9としたとき、アッベ数ν8、ν9は各々、以下の条件式（４）、（５）
ν8≦３０      ・・（４）
５０≦ν9      ・・（５）
を満たしている。本例では、第８レンズ８０のアッベ数ν8、および第９レンズ９０のアッベ数ν9が各々、２３．９７２、５６．１９０であり、条件式（４）、（５）を満たしている。このように本例では、第９レンズ９０のアッベ数ν9が大きいので、色収差を適正に補正することができる。
【００４７】
また、レンズ系全体の物像間距離をｄ0とし、レンズ系全体の焦点距離をｆ0としたとき、物像間距離ｄ0、および焦点距離ｆ0は、以下の条件式（６）
８＜ｄ0／ｆ0＜１５      ・・（６）
を満たしている。本例において、レンズ系全体の物像間距離ｄ0は、３７．２５７ｍｍであり、レンズ系全体の焦点距離ｆ0は３．４１７ｍｍであるから、ｄ0／ｆ0は、１０．９０３であり、条件式（６）を満たしている。このように本例では、ｄ0／ｆ0の値が8を超えているので、球面収差や歪曲収差を適正に補正することができる。また、ｄ0／ｆ0の値が１5未満であるので、レンズ径が大きくなりすぎることを抑制することができるとともに、レンズ系全体の全長が長くなることを回避することができる。
【００４８】
［実施例２］
図５は、本発明の実施例２に係る広角レンズ１００の説明図である。図６は、図５に示す広角レンズ１００の球面収差を示す説明図である。図７は、図５に示す広角レンズ１００の非点収差およびディストーションを示す説明図である。図８は、図５に示す広角レンズ１００の横収差を示す説明図である。図８には、赤色光Ｒ、緑色光Ｇ、および青色光Ｂの各角度０．００ｄｅｇ、１３．９７ｄｅｇ、３１．３２ｄｅｇ、５３．１０ｄｅｇ、７３．２２ｄｅｇ、および８８．４５ｄｅｇにおける光軸に直交する２方向（ｙ方向およびｘ方向）の横収差を纏めて示してある。なお、本例の基本的な構成は、実施例１と同様であるため、対応する部分には同一の符号を付してそれらの説明を省略する。
【００４９】
図５に示すように、本例の広角レンズ１００も、実施例１と同様、物体側Ｌａから像側Ｌｂに向けて、負のパワーを有する前群１００ａ、絞り１１０、および正のパワーを有す
る後群１００ｂが順に配置されている。前群１００ａでは、物体側Ｌａから像側Ｌｂに向けて、第１群２１０、および第２群２２０が順に配置されている。本形態においても、実施例１と同様、広角レンズ１００は、８群９枚のレンズ構成を有している。本例の広角レンズ１００の各レンズの構成等は、表４および表５に示す通りである。
【００５０】
【表４】
2019040121.tif 000007
【００５１】
【表５】
2019040121.tif 000008
【００５２】
表４に示すように、本例の広角レンズ１００においては、レンズ系全体の焦点距離ｆ0は３．４１９ｍｍであり、物像間距離は３５．７４４ｍｍであり、レンズ系全体のＦ値は１．８であり、最大画角は１７７ｄｅｇである。
【００５３】
第１群２１０において物体側Ｌａから１番目に位置する第１レンズ１０は、像側Ｌｂのレンズ面１２（第２面（２））が凹曲面である負メニスカスレンズであり、物体側Ｌａのレンズ面１１（第１面（１））は凸曲面である。本例において、第１レンズ１０は、ガラスレンズであり、物体側Ｌａのレンズ面１１（第１面（１））、および像側Ｌｂのレンズ面１２（第２面（２））はいずれも、球面である。第１レンズ１０には、屈折率が１．８３９、かつ、アッベ数が４２．７００のレンズ材料が用いられており、焦点距離は−２９．６６４ｍｍである。
【００５４】
第１群２１０において物体側Ｌａから２番目に位置する第２レンズ２０は、像側Ｌｂのレンズ面２２（第４面（４））が凹状の非球面である負メニスカスレンズであり、物体側Ｌａのレンズ面２１（第３面（３））は凸曲面である。本例において、第２レンズ２０はプラスチックレンズであり、物体側Ｌａのレンズ面２１（第３面（３））、および像側Ｌｂのレンズ面２２（第４面（４））はいずれも、非球面である。第２レンズ２０には、屈折率が１．５１３、かつ、アッベ数が５６．３０３のレンズ材料が用いられており、焦点距離は３０．８２８ｍｍである。ここで、第２レンズ２０は、近軸部分が正のパワーを有し、周辺部分が負のパワーを有するように、レンズ面２１、２２の形状が設定されている。
【００５５】
第１群２１０において物体側Ｌａから３番目に位置する第３レンズ３０は、像側Ｌｂのレンズ面３２（第６面（６））が凹状の非球面である負メニスカスレンズであり、物体側Ｌａのレンズ面３１（第５面（５））は凸曲面である。本例において、第３レンズ３０はプラスチックレンズであり、物体側Ｌａのレンズ面３１（第５面（５））、および像側Ｌ
ｂのレンズ面３２（第６面（６））はいずれも、非球面である。第３レンズ３０には、屈折率が１．５４６、かつ、アッベ数が５６．１９０のレンズ材料が用いられており、焦点距離は−１０．４７７ｍｍである。
【００５６】
第２群２２０において、第４レンズ４０は、物体側Ｌａのレンズ面４１（第７面（７））が凹曲面である負レンズである。本例において、第４レンズ４０は、物体側Ｌａのレンズ面４１（第７面（７））、および像側Ｌｂのレンズ面４２（第８面（８））のいずれもが凹曲面である両凹レンズである。本例において、第４レンズ４０はプラスチックレンズであり、物体側Ｌａのレンズ面４１（第７面（７））、および像側Ｌｂのレンズ面４２（第８面（８））はいずれも、非球面である。第４レンズ４０には、屈折率が１．５４６、かつ、アッベ数が５６．１９０のレンズ材料が用いられており、焦点距離は−１０．１３３ｍｍである。
【００５７】
第２群２２０において、第５レンズ５０は、像側Ｌｂのレンズ面５２（第１０面（１０））が凸曲面である正レンズである。本例において、第５レンズ５０は、物体側Ｌａのレンズ面５１（第９面（９））、および像側Ｌｂのレンズ面５２（第１０面（１０））のいずれもが凸曲面である両凸レンズである。本例において、第５レンズ５０はプラスチックレンズであり、物体側Ｌａのレンズ面５１（第９面（９））、および像側Ｌｂのレンズ面５２（第１０面（１０））はいずれも、非球面である。第５レンズ５０には、屈折率が１．６４１、かつ、アッベ数が２３．９７２のレンズ材料が用いられており、焦点距離は１５．７４５ｍｍである。
【００５８】
後群１００ｂにおいて、第６レンズ６０は、像側Ｌｂのレンズ面６２が凸曲面である正レンズである。本例において、第６レンズ６０は、物体側Ｌａのレンズ面６１（第１２面（１２））、および像側Ｌｂのレンズ面６２（第１３面（１３））のいずれもが凸曲面である両凸レンズである。本例において、第６レンズ６０はプラスチックレンズであり、物体側Ｌａのレンズ面６１（第１２面（１２））、および像側Ｌｂのレンズ面６２（第１３面（１３））はいずれも、非球面である。第６レンズ６０には、屈折率が１．５４６、かつ、アッベ数が５６．１９０のレンズ材料が用いられており、焦点距離は１５．５３０ｍｍである。
【００５９】
後群１００ｂにおいて、第７レンズ７０は、物体側Ｌａのレンズ面７１（第１４面（１４））、および像側Ｌｂのレンズ面７２（第１５面（１５））が凸曲面である両凸レンズである。本例において、第７レンズ７０は、ガラスレンズであり、物体側Ｌａのレンズ面７１（第１４面（１４））、および像側Ｌｂのレンズ面７２（第１５面（１５））はいずれも、球面である。第７レンズ７０には、屈折率が１．７３２、かつ、アッベ数が５４．７００のレンズ材料が用いられており、焦点距離は８．６１１ｍｍである。
【００６０】
後群１００ｂにおいて、第８レンズ８０は、物体側Ｌａのレンズ面８１（第１６面（１６））、および像側Ｌｂのレンズ面８２が凹曲面である両凹レンズである。本例において、第８レンズ８０はプラスチックレンズであり、物体側Ｌａのレンズ面８１（第１６面（１６））、および像側Ｌｂのレンズ面８２はいずれも、非球面である。第８レンズ８０には、屈折率が１．６４１、かつ、アッベ数が２３．９７２のレンズ材料が用いられており、焦点距離は−４．２８３ｍｍである。
【００６１】
後群１００ｂにおいて、第９レンズ９０は、物体側Ｌａのレンズ面９１、および像側Ｌｂのレンズ面９２（第１８面（１８））が凸曲面である両凸レンズである。本例において、第９レンズ９０はプラスチックレンズであり、物体側Ｌａのレンズ面９１、および像側Ｌｂのレンズ面９２（第１８面（１８））はいずれも、非球面である。第９レンズ９０には、屈折率が１．５４６、かつ、アッベ数が５６．１９０のレンズ材料が用いられており
、焦点距離は５．１３０ｍｍである。
【００６２】
ここで、第８レンズ８０と第９レンズ９０とは、第８レンズ８０の像側Ｌｂのレンズ面８２と第９レンズ９０の物体側Ｌａのレンズ面９１とが樹脂により接合された接合レンズ１５０を構成している。従って、第８レンズ８０の像側Ｌｂのレンズ面８２と第９レンズ９０の物体側Ｌａのレンズ面９１との接合面を第１７面（１７）としてある。
【００６３】
図６〜図８に示すように、本例の広角レンズ１００においては、球面収差、非点収差（ディストーション）、および横収差が適正なレベルまで補正されている。
【００６４】
このように構成した広角レンズ１００において、第２レンズ２０は、近軸部分が正のパワーを有し、周辺部分が負のパワーを有している。それ故、本例の広角レンズ１００では、画像の中心については大きく見せ、かつ、周辺部分についてはより広角に見せることができる。また、絞り１１０に対して像側Ｌｂの近い位置にガラスレンズ（第７レンズ７０）を配置したため、環境温度が変化した場合の画角の変化や焦点位置の変化が小さい。また、絞り１１０とガラスレンズ（第７レンズ７０）との間にプラスチックレンズ（第６レンズ６０）が配置されているため、レンズの位置精度や厚み精度の影響等により、光学特性が低下するという問題が発生しにくい等、実施例１と同様な効果を奏する。
【００６５】
また、本例の広角レンズ１００は、表３に示すように、実施例１で説明した条件式（１）〜（６）を満たしている。まず、第１群２１０の合成焦点距離ｆG1は、−１０．１３９ｍｍであり、レンズ全体の焦点距離ｆ0は３．４１９ｍｍであるから、ｆG1／ｆ0は−２．９６５であり、条件式（１）を満たしている。従って、第１群２１０の負のパワーが弱まることを回避しつつ、レンズ系全体の物像間距離を短くすることができる。また、コマ収差の補正を適正に行うことができる。
【００６６】
また、第３レンズ３０の像側Ｌｂのレンズ面３２の半径Ｒ32は、４．２００ｍｍであり、第３レンズ３０の像側Ｌｂのレンズ面３２の中心から第４レンズ４０の物体側Ｌａのレンズ面４１の中心までの距離ｄ34は、４．１１０ｍｍであるから、Ｒ32／ｄ34は、１．０２２であり、条件式（２）を満たしている。従って、第３レンズ３０の歩留まりや生産性の低下を抑制することができる。また、倍率色収差の補正を行いやすい。
【００６７】
また、前群１００ａの合成焦点距離ｆNは−１０．３０３ｍｍであり、後群１００ｂの合成焦点距離ｆPは７．０８８ｍｍであるから、ｆN／ｆPは、−１．４５４であり、条件式（３）を満たしている。従って、各種収差の補正を適正に行うことができ、高い光学特性を実現することができる。また、広角レンズ１００の小型化を図ることができる。
【００６８】
また、第８レンズ８０のアッベ数ν8、および第９レンズ９０のアッベ数ν9が各々、２３．９７２、５６．１９０であり、条件式（４）、（５）を満たしている。従って、色収差を適正に補正することができる。
【００６９】
また、レンズ系全体の物像間距離ｄ0は、３５．７４４ｍｍであり、レンズ系全体の焦点距離ｆ0は３．４１９ｍｍであるから、ｄ0／ｆ0は、１０．４５４であり、条件式（６）を満たしている。従って、球面収差や歪曲収差を適正に補正することができる。また、レンズ径が大きくなりすぎることを抑制することができるとともに、レンズ系全体の全長が長くなることを回避することができる。
【００７０】
［実施例３］
図９は、本発明の実施例３に係る広角レンズ１００の説明図である。図１０は、図９に示す広角レンズ１００の球面収差を示す説明図である。図１１は、図９に示す広角レンズ
１００の非点収差およびディストーションを示す説明図である。図１２は、図９に示す広角レンズ１００の横収差を示す説明図である。図１２には、赤色光Ｒ、緑色光Ｇ、および青色光Ｂの各角度０．００ｄｅｇ、１３．９７ｄｅｇ、３１．３５ｄｅｇ、５２．７７ｄｅｇ、７３．１７ｄｅｇ、および８８．６３ｄｅｇにおける光軸に直交する２方向（ｙ方向およびｘ方向）の横収差を纏めて示してある。なお、本例の基本的な構成は、実施例１と同様であるため、対応する部分には同一の符号を付してそれらの説明を省略する。
【００７１】
図９に示すように、本例の広角レンズ１００も、実施例１と同様、物体側Ｌａから像側Ｌｂに向けて、負のパワーを有する前群１００ａ、絞り１１０、および正のパワーを有する後群１００ｂが順に配置されている。前群１００ａでは、物体側Ｌａから像側Ｌｂに向けて、第１群２１０、および第２群２２０が順に配置されている。本形態においても、実施例１と同様、広角レンズ１００は、８群９枚のレンズ構成を有している。本例の広角レンズ１００の各レンズの構成等は、表６および表７に示す通りである。
【００７２】
【表６】
2019040121.tif 000009
【００７３】
【表７】
2019040121.tif 000010
【００７４】
表６に示すように、本例の広角レンズ１００においては、レンズ系全体の焦点距離ｆ0は３．４１３ｍｍであり、物像間距離は３８．６７５ｍｍであり、レンズ系全体のＦ値は１．８であり、最大画角は１７７ｄｅｇである。
【００７５】
第１群２１０において物体側Ｌａから１番目に位置する第１レンズ１０は、像側Ｌｂのレンズ面１２（第２面（２））が凹曲面である負メニスカスレンズであり、物体側Ｌａのレンズ面１１（第１面（１））は凸曲面である。本例において、第１レンズ１０は、ガラスレンズであり、物体側Ｌａのレンズ面１１（第１面（１））、および像側Ｌｂのレンズ面１２（第２面（２））はいずれも、球面である。第１レンズ１０には、屈折率が１．８３９、かつ、アッベ数が４２．７００のレンズ材料が用いられており、焦点距離は−２８．４０５ｍｍである。
【００７６】
第１群２１０において物体側Ｌａから２番目に位置する第２レンズ２０は、像側Ｌｂのレンズ面２２（第４面（４））が凹状の非球面である負メニスカスレンズであり、物体側Ｌａのレンズ面２１（第３面（３））は凸曲面である。本例において、第２レンズ２０はプラスチックレンズであり、物体側Ｌａのレンズ面２１（第３面（３））、および像側Ｌｂのレンズ面２２（第４面（４））はいずれも、非球面である。第２レンズ２０には、屈折率が１．５１３、かつ、アッベ数が５６．３０３のレンズ材料が用いられており、焦点距離は７２．７８７ｍｍである。ここで、第２レンズ２０は、近軸部分が正のパワーを有し、周辺部分が負のパワーを有するように、レンズ面２１、２２の形状が設定されている。
【００７７】
第１群２１０において物体側Ｌａから３番目に位置する第３レンズ３０は、像側Ｌｂの
レンズ面３２（第６面（６））が凹状の非球面である負メニスカスレンズであり、物体側Ｌａのレンズ面３１（第５面（５））は凸曲面である。本例において、第３レンズ３０はプラスチックレンズであり、物体側Ｌａのレンズ面３１（第５面（５））、および像側Ｌｂのレンズ面３２（第６面（６））はいずれも、非球面である。第３レンズ３０には、屈折率が１．６４１、かつ、アッベ数が２３．９７２のレンズ材料が用いられており、焦点距離は−１２．０９０ｍｍである。
【００７８】
第２群２２０において、第４レンズ４０は、物体側Ｌａのレンズ面４１（第７面（７））が凹曲面である負レンズである。本例において、第４レンズ４０は、物体側Ｌａのレンズ面４１（第７面（７））、および像側Ｌｂのレンズ面４２（第８面（８））のいずれもが凹曲面である両凹レンズである。本例において、第４レンズ４０はプラスチックレンズであり、物体側Ｌａのレンズ面４１（第７面（７））、および像側Ｌｂのレンズ面４２（第８面（８））はいずれも、非球面である。第４レンズ４０には、屈折率が１．５４６、かつ、アッベ数が５６．１９０のレンズ材料が用いられており、焦点距離は−１２．０８０ｍｍである。
【００７９】
第２群２２０において、第５レンズ５０は、像側Ｌｂのレンズ面５２（第１０面（１０））が凸曲面である正レンズである。本例において、第５レンズ５０は、物体側Ｌａのレンズ面５１（第９面（９））、および像側Ｌｂのレンズ面５２（第１０面（１０））のいずれもが凸曲面である両凸レンズである。本例において、第５レンズ５０はプラスチックレンズであり、物体側Ｌａのレンズ面５１（第９面（９））、および像側Ｌｂのレンズ面５２（第１０面（１０））はいずれも、非球面である。第５レンズ５０には、屈折率が１．６４１、かつ、アッベ数が２３．９７２のレンズ材料が用いられており、焦点距離は１３．４５９ｍｍである。
【００８０】
後群１００ｂにおいて、第６レンズ６０は、像側Ｌｂのレンズ面６２が凸曲面である正レンズである。本例において、第６レンズ６０は、物体側Ｌａのレンズ面６１（第１２面（１２））、および像側Ｌｂのレンズ面６２（第１３面（１３））のいずれもが凸曲面である両凸レンズである。本例において、第６レンズ６０はプラスチックレンズであり、物体側Ｌａのレンズ面６１（第１２面（１２））、および像側Ｌｂのレンズ面６２（第１３面（１３））はいずれも、非球面である。第６レンズ６０には、屈折率が１．５４６、かつ、アッベ数が５６．１９０のレンズ材料が用いられており、焦点距離は２１．１９０ｍｍである。
【００８１】
後群１００ｂにおいて、第７レンズ７０は、物体側Ｌａのレンズ面７１（第１４面（１４））、および像側Ｌｂのレンズ面７２（第１５面（１５））が凸曲面である両凸レンズである。本例において、第７レンズ７０は、ガラスレンズであり、物体側Ｌａのレンズ面７１（第１４面（１４））、および像側Ｌｂのレンズ面７２（第１５面（１５））はいずれも、球面である。第７レンズ７０には、屈折率が１．７３２、かつ、アッベ数が５４．７００のレンズ材料が用いられており、焦点距離は８．９９４ｍｍである。
【００８２】
後群１００ｂにおいて、第８レンズ８０は、物体側Ｌａのレンズ面８１（第１６面（１６））、および像側Ｌｂのレンズ面８２が凹曲面である両凹レンズである。本例において、第８レンズ８０はプラスチックレンズであり、物体側Ｌａのレンズ面８１（第１６面（１６））、および像側Ｌｂのレンズ面８２はいずれも、非球面である。第８レンズ８０には、屈折率が１．６４１、かつ、アッベ数が２３．９７２のレンズ材料が用いられており、焦点距離は−３．７５８ｍｍである。
【００８３】
後群１００ｂにおいて、第９レンズ９０は、物体側Ｌａのレンズ面９１、および像側Ｌｂのレンズ面９２（第１８面（１８））が凸曲面である両凸レンズである。本例において
、第９レンズ９０はプラスチックレンズであり、物体側Ｌａのレンズ面９１、および像側Ｌｂのレンズ面９２（第１８面（１８））はいずれも、非球面である。第９レンズ９０には、屈折率が１．５４６、かつ、アッベ数が５６．１９０のレンズ材料が用いられており、焦点距離は４．６５５ｍｍである。
【００８４】
ここで、第８レンズ８０と第９レンズ９０とは、第８レンズ８０の像側Ｌｂのレンズ面８２と第９レンズ９０の物体側Ｌａのレンズ面９１とが樹脂により接合された接合レンズ１５０を構成している。従って、第８レンズ８０の像側Ｌｂのレンズ面８２と第９レンズ９０の物体側Ｌａのレンズ面９１との接合面を第１７面（１７）としてある。
【００８５】
図１０〜図１２に示すように、本例の広角レンズ１００においては、球面収差、非点収差（ディストーション）、および横収差が適正なレベルまで補正されている。
【００８６】
このように構成した広角レンズ１００において、第２レンズ２０は、近軸部分が正のパワーを有し、周辺部分が負のパワーを有している。それ故、本例の広角レンズ１００では、画像の中心については大きく見せ、かつ、周辺部分についてはより広角に見せることができる。また、絞り１１０に対して像側Ｌｂの近い位置にガラスレンズ（第７レンズ７０）を配置したため、環境温度が変化した場合の画角の変化や焦点位置の変化が小さい。また、絞り１１０とガラスレンズ（第７レンズ７０）との間にプラスチックレンズ（第６レンズ６０）が配置されているため、レンズの位置精度や厚み精度の影響等により、光学特性が低下するという問題が発生しにくい等、実施例１と同様な効果を奏する。
【００８７】
また、本例の広角レンズ１００は、表３に示すように、実施例１で説明した条件式（１）〜（６）を満たしている。まず、第１群２１０の合成焦点距離ｆG1は、−８．５１６ｍｍであり、レンズ全体の焦点距離ｆ0は３．４１３ｍｍであるから、ｆG1／ｆ0は−２．４９５であり、条件式（１）を満たしている。従って、第１群２１０の負のパワーが弱まることを回避しつつ、レンズ系全体の物像間距離を短くすることができる。また、コマ収差の補正を適正に行うことができる。
【００８８】
また、第３レンズ３０の像側Ｌｂのレンズ面３２の半径Ｒ32は、４．５００ｍｍであり、第３レンズ３０の像側Ｌｂのレンズ面３２の中心から第４レンズ４０の物体側Ｌａのレンズ面４１の中心までの距離ｄ34は、３．０００ｍｍであるから、Ｒ32／ｄ34は、１．５００であり、条件式（２）を満たしている。従って、第３レンズ３０の歩留まりや生産性の低下を抑制することができる。また、倍率色収差の補正を行いやすい。
【００８９】
また、前群１００ａの合成焦点距離ｆNは−１７．８７２ｍｍであり、後群１００ｂの合成焦点距離ｆPは８．２１５ｍｍであるから、ｆN／ｆPは、−２．１７５であり、条件式（３）を満たしている。従って、各種収差の補正を適正に行うことができ、高い光学特性を実現することができる。また、広角レンズ１００の小型化を図ることができる。
【００９０】
また、第８レンズ８０のアッベ数ν8、および第９レンズ９０のアッベ数ν9が各々、２３．９７２、５６．１９０であり、条件式（４）、（５）を満たしている。従って、色収差を適正に補正することができる。
【００９１】
また、レンズ系全体の物像間距離ｄ0は、３８．６７５ｍｍであり、レンズ系全体の焦点距離ｆ0は３．４１３ｍｍであるから、ｄ0／ｆ0は、１１．３３１であり、条件式（６）を満たしている。従って、球面収差や歪曲収差を適正に補正することができる。また、レンズ径が大きくなりすぎることを抑制することができるとともに、レンズ系全体の全長が長くなることを回避することができる。
【００９２】
［他の実施の形態］
以上、本発明を実施例１〜３に基づいて説明したが、本発明の趣旨を逸脱しない範囲で、レンズ構成を適宜変更することができる。例えば、上記実施例では、第１レンズ１０がガラスレンズであったが、プラスチックレンズであってもよい。この場合、第１レンズ１０の像側Ｌｂのレンズ面１１を非球面とすることができる。
【符号の説明】
【００９３】
１０…第１レンズ、２０…第２レンズ、３０…第３レンズ、４０…第４レンズ、５０…第５レンズ、６０…第６レンズ、７０…第７レンズ、８０…第８レンズ、９０…第９レンズ、１００…広角レンズ、１００ａ…前群、１００ｂ…後群、１５０…接合レンズ、２１０…第１群、２２０…第２群、１１０…絞り、１４０…撮像素子
【図１】
2019040121.tif 000011
【図２】
2019040121.tif 000012
【図３】
2019040121.tif 000013
【図４】
2019040121.tif 000014
【図５】
2019040121.tif 000015
【図６】
2019040121.tif 000016
【図７】
2019040121.tif 000017
【図８】
2019040121.tif 000018
【図９】
2019040121.tif 000019
【図１０】
2019040121.tif 000020
【図１１】
2019040121.tif 000021
【図１２】
2019040121.tif 000022